(57)【要約】【課題】製造コストの高騰を招来することなく、車体側ブラケット等の摺接力（保持力）を高くしてステアリングコラムの「ガタ付き」を確実に防止すること。【解決手段】車体側ブラケット６及びコラム側ブラケット７に加えて、ロアーコラム２から車体側ブラケット６とコラム側ブラケット７の間に延在した支持ブラケット１４を新設し、これにより、チルト締付又はテレスコピック締付時には、車体側ブラケット６、支持ブラケット１４、及びコラム側ブラケット７をそれぞれ摺接するように構成している。したがって、これらブラケット６，１４，７の摺接力を高くすることができ、ステアリングコラムの「ガタ付き」を確実に防止することができる。【選択図】図１
2008179359.tif 000002
【特許請求の範囲】
【請求項１】
ステアリングホイールを傾動又は軸方向に移動して、チルト調整又はテレスコピック調整する車両用ステアリング装置において、
車体に固定したロアーコラムと、
このロアーコラムに摺動自在に嵌合したアッパーコラムと、
このアッパーコラムを囲うように車体側に固定してあり、側面にチルト溝を形成した車体側ブラケットと、
前記アッパーコラムに固定して前記車体側ブラケットの内側に摺接自在に設けてあり、側面にテレスコ溝を形成したコラム側ブラケットと、
前記ロアーコラムの略後端に固定して、前記車体側ブラケットと前記コラム側ブラケットの間に車両後方に向けて延在してあり、その略後端に支持溝を形成した支持ブラケットと、
前記車体側ブラケットのチルト溝、前記支持ブラケットの支持溝、及び前記コラム側ブラケットのテレスコ溝に締付ボルトを通挿して、この締付ボルトにより、前記車体側ブラケット、前記支持ブラケット、及び前記コラム側ブラケットを摺接してチルト締付又はテレスコピック締付を行う締付手段と、
を具備することを特徴とする車両用ステアリング装置。
【発明の詳細な説明】
【技術分野】
【０００１】
本発明は、運転者の運転姿勢に応じて、ステアリングホイールの傾斜角度を調整できると共に、ステアリングホイールの軸方向位置を調整できるチルト・テレスコピック式の車両用ステアリング装置に関する。
【背景技術】
【０００２】
車両用ステアリング装置には、運転者の運転姿勢に応じて、ステアリングホイールの傾斜角度を調整できると共に、ステアリングホイールの軸方向位置を調整できるチルト・テレスコピック式のステアリング装置がある。
【０００３】
例えば、いわゆる腰振りタイプのチルト・テレスコピック式のステアリング装置では、ステアリングコラムは、車体に固定したロアーコラムとこれに摺動自在に嵌合したアッパーコラムとからなり、このアッパーコラムを下方から包囲するように、車体側ブラケット（チルトブラケット）が設けてあり、この車体側ブラケットの内側に、アッパーコラムに固定したコラム側ブラケット（ディスタンスブラケット）が上下動自在に設けてある。
【０００４】
また、車体側ブラケットには、チルト溝が形成してあると共に、コラム側ブラケットには、テレスコ溝が形成してあり、これらチルト溝およびテレスコ溝に、締付ボルトが通挿してある。この締付ボルトの一端に、操作レバーが設けてある。
【０００５】
これにより、操作レバーを締付方向に回動すると、車体側ブラケットがコラム側ブラケットに摺接して押圧することにより、チルト締付およびテレスコピック締付することができる。
【０００６】
一方、操作レバーを解除方向に回動すると、車体側ブラケットとコラム側ブラケットとの摺接が解除することにより、チルト溝に沿って締付ボルトを上下方向に移動してアッパーコラムをチルト調整することができると共に、静止した締付ボルトにテレスコ溝を沿わせながら、コラム側ブラケットをアッパーコラムと共に軸方向に移動して、アッパーコラムをテレスコピック調整することができる。
【発明の開示】
【発明が解決しようとする課題】
【０００７】
しかしながら、上記のようなチルト・テレスコピック式のステアリング装置では、操作レバーを十分に締め付けて、車体側ブラケットがコラム側ブラケットに十分に摺接している場合であっても、テレスコ摺動部において、「ガタ付き」が生じるといった虞れがある。
【０００８】
なお、特開平１１−２２２１３９号公報では、アッパーコラムの外周に、ブッシュが介装してあり、チルト等の調整時には、操作レバーに連動したリンク機構によって、ブッシュをアッパーコラムから離脱して、テレスコピック摺動力を軽減する一方、チルト等の締付時には、このリンク機構によりブッシュをアッパーコラムに押圧して、アッパーコラムの「ガタ付き」を防止している。しかし、リンク機構には、板バネ、ロッド等を必要とすることから、部品点数が多くなり、組立工数が多くなって、製造コストの高騰を招来するといったことがある。
【０００９】
本発明は、上述したような事情に鑑みてなされたものであって、製造コストの高騰を招来することなく、ステアリングコラムの「ガタ付き」を確実に防止した車両用ステアリング装置を提供することを目的とする。
【課題を解決するための手段】
【００１０】
上記の目的を達成するため、本発明に係る車両用ステアリング装置は、ステアリングホイールを傾動又は軸方向に移動して、チルト調整又はテレスコピック調整する車両用ステアリング装置において、
車体に固定したロアーコラムと、
このロアーコラムに摺動自在に嵌合したアッパーコラムと、
このアッパーコラムを囲うように車体側に固定してあり、側面にチルト溝を形成した車体側ブラケットと、
前記アッパーコラムに固定して前記車体側ブラケットの内側に摺接自在に設けてあり、側面にテレスコ溝を形成したコラム側ブラケットと、
前記ロアーコラムの略後端に固定して、前記車体側ブラケットと前記コラム側ブラケットの間に車両後方に向けて延在してあり、その略後端に支持溝を形成した支持ブラケットと、
前記車体側ブラケットのチルト溝、前記支持ブラケットの支持溝、及び前記コラム側ブラケットのテレスコ溝に締付ボルトを通挿して、この締付ボルトにより、前記車体側ブラケット、前記支持ブラケット、及び前記コラム側ブラケットを摺接してチルト締付又はテレスコピック締付を行う締付手段と、
を具備することを特徴とする。
【００１１】
このように、本発明によれば、従来の車体側ブラケット及びコラム側ブラケットに加えて、ロアーコラムから車体側ブラケットとコラム側ブラケットの間に延在した支持ブラケットを新設し、これにより、チルト締付又はテレスコピック締付時には、車体側ブラケット、支持ブラケット、及びコラム側ブラケットをそれぞれ摺接するように構成しており、こうしてステアリングコラムの「ガタ付き」を確実に防止することができる。しかも、支持ブラケットを新設しているだけであるため、製造コストの高騰も低く抑えることができると共に、チルト・テレスコピック式のステアリング装置の組立も簡単に且つ確実に行うことができる。
【発明を実施するための最良の形態】
【００１２】
以下、本発明の実施の形態に係るチルト・テレスコピック式の車両用ステアリング装置を図面を参照しつつ説明する。
【００１３】
図１（ａ）は、本発明の実施の形態に係るチルト・テレスコピック式の車両用ステアリング装置の側面図であり、図１（ｂ）は、平面図であり、図１（ｃ）は、横断面図である。図２（ａ）は、車体側ブラケット、支持ブラケット、及びコラム側ブラケットをロアーコラム等に組付けた状態を示す斜視図であり、図２（ｂ）は、車体側ブラケットの斜視図である。図３（ａ）は、ロアーコラムと支持ブラケットを示す斜視図であり、図３（ｂ）は、コラム側ブラケットの斜視図であり、図３（ｃ）は、ステアリングコラムの横断面図である。図４（ａ）は、支持ブラケット、及びコラム側ブラケットをロアーコラム等に組付けた状態を示す斜視図であり、テレスコピック最伸時を示し、図４（ｂ）は、テレスコピック最縮時を示す。
【００１４】
図１に示すように、ステアリングコラムは、ロアーブラケット１により車体に固定したロアーコラム２と、これに摺動自在に嵌合したアッパーコラム３とからなる。ロアーコラム２とアッパーコラム３との間には、含油樹脂からなるブッシュ４がＯリング５により締付けて介装してあり、「ガタ付き」を防止している。
【００１５】
アッパーコラム３を下方から包囲するように、車体側ブラケット６（チルトブラケット）が設けてあり、この車体側ブラケット６の内側に、アッパーコラム３に固定したコラム側ブラケット７（ディスタンスブラケット）が上下動自在に設けてある。車体側ブラケット６には、チルト溝８が形成してあると共に、コラム側ブラケット７には、テレスコ溝９が形成してあり、これらチルト溝８およびテレスコ溝９に、締付ボルト１０が通挿してある。この締付ボルト１０の一端に、調節ナット１１が螺合してあり、これに操作レバー１２が設けてある。なお、締付ボルト１０には、衝撃吸収用ワイヤー１３の後端が掛け渡してあり、二次衝突時の衝撃エネルギーを吸収するようになっている。
【００１６】
さらに、本実施の形態では、ロアーコラム２の略後端には、平面視が略Ｕ字状の支持ブラケット１４が固定してある。この支持ブラケット１４は、車体側ブラケット６とコラム側ブラケット７の間に車両後方に向けて延在してある。支持ブラケット１４の略後端には、支持溝１５が形成してあり、締付ボルト１０が通挿してある。
【００１７】
なお、支持ブラケット１４は、溶接によりロアーコラム２に固定してあるが、アルミニウム等のロアーコラムの場合には、一体的に成型してあってもよい。
【００１８】
以上のように構成してあるため、チルト又はテレスコピック締付時には、操作レバー１２を締付方向に回動すると、車体側ブラケット６、支持ブラケット１４、及びコラム側ブラケット７がそれぞれ摺接して押圧することにより、チルト締付及びテレスコピック締付することができる。
【００１９】
したがって、ロアーコラム２も支持ブラケット１４によりブラケット６，７と共に締付けられるため、ステアリングコラムの「ガタ付き」を確実に防止することができる。また、支持ブラケット１４を新設しているだけであるため、製造コストの高騰も低く抑えることができると共に、チルト・テレスコピック式のステアリング装置の組立も簡単に且つ確実に行うことができる。
【００２０】
一方、チルト又はテレスコピック調整時には、操作レバー１２を解除方向に回動すると、車体側ブラケット６、支持ブラケット１４、及びコラム側ブラケット７の摺接が解除することにより、チルト又はテレスコピック調整することができる。
【００２１】
即ち、チルト調整時には、締付ボルト１０をコラム側ブラケット７やロアーコラム２やアッパーコラム３と共に、車体側ブラケット６のチルト溝８に沿って上下方向に移動して、アッパーコラム３をチルト調整することができる。なお、このチルト調整時、支持ブラケット１４は、ロアーコラム２に固定してあるため、締付ボルト１０やロアーコラム２と共に上下方向に移動する。
【００２２】
テレスコピック調整時には、静止した締付ボルト１０にテレスコ溝９を沿わせながら、コラム側ブラケット７をアッパーコラム３と共に、図４に示すように軸方向に移動して、アッパーコラム３をテレスコピック調整することができる。なお、このテレスコピック調整時、支持ブラケット１４は、ロアーコラム２に固定してあるため、この調整時に静止しているロアコラム２と共に静止している。
【００２３】
なお、ステアリング装置の車体への組付時、支持ブラケット１４は、ロアーコラム２に固定してあるため、締付ボルト１０が３つのブラケット６，１４，７の各溝８，１５，９に通挿してあれば、アッパーコラム３とロアーコラム２とが分離することがなく、従来のように分離防止のためのピン等を設ける必要がないといった利点もある。
【００２４】
なお、本発明は、上述した実施の形態に限定されず、種々変形可能である。例えば、上述した実施の形態では、チルト調整とテレスコピック調整の双方を行うことができるが、いずれか一方の調整のみを行う場合であっても、本発明を適用することができる。
【００２５】
また、図５に示すように、支持ブラケット１４の支持溝１５は、比較的長く形成してあってもよく、この場合には、二次衝突時に、支持溝１５を変形させて、衝撃エネルギーを吸収することもできる。さらに、支持溝１５の先端は、締付ボルト１０を通挿できるのであれば、開放してなくてもよい。
【００２６】
［発明の効果］
以上説明したように、本発明によれば、従来の車体側ブラケット及びコラム側ブラケットに加えて、ロアーコラムから車体側ブラケットとコラム側ブラケットの間に延在した支持ブラケットを新設し、これにより、チルト締付又はテレスコピック締付時には、車体側ブラケット、支持ブラケット、及びコラム側ブラケットをそれぞれ摺接するように構成している。
【００２７】
したがって、ロアーコラムもこれに一体の支持ブラケットを介してチルト締付又はテレスコ締付されるので、ステアリングコラムの「ガタ付き」を確実に防止することができる。しかも、支持ブラケットを新設しているだけであるため、製造コストの高騰も低く抑えることができると共に、チルト・テレスコピック式のステアリング装置の組立も簡単に且つ確実に行うことができる。
【図面の簡単な説明】
【００２８】
【図１】（ａ）は、本発明の実施の形態に係るチルト・テレスコピック式の車両用ステアリング装置の側面図であり、（ｂ）は、平面図であり、（ｃ）は、横断面図である。
【図２】（ａ）は、車体側ブラケット、支持ブラケット、及びコラム側ブラケットをロアーコラム等に組付けた状態を示す斜視図であり、（ｂ）は、車体側ブラケットの斜視図である。
【図３】（ａ）は、ロアーコラムと支持ブラケットを示す斜視図であり、（ｂ）は、コラム側ブラケットの斜視図であり、（ｃ）は、ステアリングコラムの横断面図である。
【図４】（ａ）は、支持ブラケット、及びコラム側ブラケットをロアーコラム等に組付けた状態を示す斜視図であり、テレスコピック最伸時を示し、（ｂ）は、テレスコピック最縮時を示す。
【図５】変形例に係り、ロアーコラムと支持ブラケットを示す斜視図である。
【符号の説明】
【００２９】
１  ロアーブラケット
２  ロアーコラム
３  アッパーコラム
４  ブッシュ
５  Ｏリング
６  車体側ブラケット（チルトブラケット）
７  コラム側ブラケット（ディスタンスブラケット）
８  チルト溝
９  テレスコ溝
１０  締付ボルト
１１  調節ナット
１２  操作レバー
１３  衝撃吸収用ワイヤー
１４  支持ブラケット
１５  支持溝
【図１】
2008179359.tif 000003
【図２】
2008179359.tif 000004
【図３】
2008179359.tif 000005
【図４】
2008179359.tif 000006
【図５】
2008179359.tif 000007
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
ステアリングホイールを傾動又は軸方向に移動して、チルト調整又はテレスコピック調整する車両用ステアリング装置において、
ロアーコラムと、
このロアーコラムに摺動自在に嵌合したアッパーコラムと、
車体側に固定してあり、側面にチルト溝を形成した車体側ブラケットと、
前記アッパーコラムに固定して前記車体側ブラケットの内側に設けてあり、側面にテレスコ溝を形成したコラム側ブラケットと、
前記ロアーコラムの略後端に固定して、前記車体側ブラケットと前記コラム側ブラケットの間に車両後方に向けて延在してあり、その略後端に貫通孔を形成した支持ブラケットと、
前記車体側ブラケットのチルト溝、前記支持ブラケットの貫通孔、及び前記コラム側ブラケットのテレスコ溝に締付ボルトを通挿して、この締付ボルトに設けられた操作レバーの操作によって、前記車体側ブラケット、前記支持ブラケット、及び前記コラム側ブラケットの締付・解除を行なってチルト締付又はテレスコピック締付を行う締付手段と、
を具備することを特徴とする車両用ステアリング装置。
【請求項２】
ステアリングホイールを位置調整する車両用ステアリング装置において、
ロアーコラムと、
このロアーコラムに摺動自在に嵌合したアッパーコラムと、
車体側に固定してあり、側面に貫通孔を形成した車体側ブラケットと、
前記アッパーコラムに固定して前記車体側ブラケットの内側に設けてあり、側面に貫通孔を形成したコラム側ブラケットと、
前記ロアーコラムの略後端に固定して、前記車体側ブラケットと前記コラム側ブラケットの間に車両後方に向けて延在してあり、その略後端に貫通孔を形成した支持ブラケットと、
前記車体側ブラケットの貫通孔、前記支持ブラケットの貫通孔、及び前記コラム側ブラケットの貫通孔に締付ボルトを通挿して、この締付ボルトに設けられた操作レバーの操作によって、前記車体側ブラケット、前記支持ブラケット、及び前記コラム側ブラケットの締付・解除を行なって位置調整を行う締付手段と、
を具備することを特徴とする車両用ステアリング装置。
【請求項３】
前記支持ブラケットの貫通孔は、前記ロアーコラムの軸方向に延びる長孔または切欠きであることを特徴とする請求項１または２に記載の車両用ステアリング装置。
【請求項４】
前記アッパーコラムと前記ロアーコラムとの間にブッシュを介装していることを特徴とする請求項１乃至３のいずれか１項に記載の車両用ステアリングコラム装置。
【手続補正２】
【補正対象書類名】明細書
【補正対象項目名】０００６
【補正方法】変更
【補正の内容】
【０００６】
一方、操作レバーを解除方向に回動すると、車体側ブラケットとコラム側ブラケットとの摺接・押圧が解除することにより、チルト溝に沿って締付ボルトを上下方向に移動してアッパーコラムをチルト調整することができると共に、静止した締付ボルトにテレスコ溝を沿わせながら、コラム側ブラケットをアッパーコラムと共に軸方向に移動して、アッパーコラムをテレスコピック調整することができる。
【手続補正３】
【補正対象書類名】明細書
【補正対象項目名】００１０
【補正方法】変更
【補正の内容】
【００１０】
上記の目的を達成するため、本発明に係る車両用ステアリング装置は、ステアリングホイールを傾動又は軸方向に移動して、チルト調整又はテレスコピック調整する車両用ステアリング装置において、
ロアーコラムと、
このロアーコラムに摺動自在に嵌合したアッパーコラムと、
車体側に固定してあり、側面にチルト溝を形成した車体側ブラケットと、
前記アッパーコラムに固定して前記車体側ブラケットの内側に設けてあり、側面にテレスコ溝を形成したコラム側ブラケットと、
前記ロアーコラムの略後端に固定して、前記車体側ブラケットと前記コラム側ブラケットの間に車両後方に向けて延在してあり、その略後端に貫通孔を形成した支持ブラケットと、
前記車体側ブラケットのチルト溝、前記支持ブラケットの貫通孔、及び前記コラム側ブラケットのテレスコ溝に締付ボルトを通挿して、この締付ボルトに設けられた操作レバーの操作によって、前記車体側ブラケット、前記支持ブラケット、及び前記コラム側ブラケットの締付・解除を行なってチルト締付又はテレスコピック締付を行う締付手段と、を具備することを特徴とする。
【手続補正４】
【補正対象書類名】明細書
【補正対象項目名】００２０
【補正方法】変更
【補正の内容】
【００２０】
一方、チルト又はテレスコピック調整時には、操作レバー１２を解除方向に回動すると、車体側ブラケット６、支持ブラケット１４、及びコラム側ブラケット７の摺接・押圧が解除することにより、チルト又はテレスコピック調整することができる。
【手続補正５】
【補正対象書類名】明細書
【補正対象項目名】００２２
【補正方法】変更
【補正の内容】
【００２２】
テレスコピック調整時には、静止した締付ボルト１０にテレスコ溝９を沿わせながら、コラム側ブラケット７をアッパーコラム３と共に、図４に示すように軸方向に移動して、アッパーコラム３をテレスコピック調整することができる。なお、このテレスコピック調整時、支持ブラケット１４は、ロアーコラム２に固定してあるため、この調整時に静止しているロアーコラム２と共に静止している。